【手続補正書】
【提出日】平成26年5月12日(2014.5.12)
【手続補正１】
【補正対象書類名】特許請求の範囲
【補正対象項目名】全文
【補正方法】変更
【補正の内容】
【特許請求の範囲】
【請求項１】
部屋と照明の情報を入力する入力部と、
前記入力部に入力された情報と、仮に設定された照明の点灯または消灯からなる点灯パターンとに基づく前記部屋の領域の照度が、予め設定された条件を満たす照度に対応するように、前記点灯パターンを選択する点灯パターン選択部と、
前記点灯パターン選択部で選択された前記点灯パターンを表示する表示部と、
を備えたことを特徴とする点灯パターン設定装置。
【請求項２】
請求項１に記載の点灯パターン設定装置において、
前記点灯パターン選択部は、
前記仮に設定された点灯パターンを設定する仮点灯パターン設定部と、
前記入力部からの情報と前記仮に設定された点灯パターンとに基づいて、前記部屋の各領域の照度を算出する照度算出部と、
前記照度算出部により算出された各領域の照度の中から予め設定された条件を満たす照度と、この条件を満たす照度の領域に対応した照明とを抽出する抽出部と、
前記抽出部により抽出された照明の状態を変更し、この変更した状態を前記仮点灯パターン設定部に反映させる状態変更反映部と、
を有し、
前記仮点灯パターン設定部の各点灯パターンと前記照度算出部の各領域の照度とをそれぞれ対応させて、前記点灯パターンを選択する、
ことを特徴とする点灯パターン設定装置。
【請求項３】
請求項２に記載の点灯パターン設定装置において、
前記仮点灯パターン設定部は、全ての照明が点灯している状態を初期の点灯パターンとして設定し、
前記抽出部における前記予め設定された条件は、最も高い照度であり、
前記状態変更反映部は、前記抽出部により抽出された照明の状態を消灯へ変更し、この消灯状態を反映させ、前記仮点灯パターン設定部における仮の点灯パターンが、１つの照明のみが点灯している状態になるまで、変更する状態を反映し、
前記表示部は、前記初期の点灯パターンである全ての照明が点灯している状態から、目標とすべき照度である目標照度を満たす点灯パターンまでを、前記状態変更反映部により反映された順番に並べて表示する、
ことを特徴とする点灯パターン設定装置。
【請求項４】
請求項２に記載の点灯パターン設定装置において、
前記仮点灯パターン設定部は、任意の１つの照明のみが点灯している状態を初期の点灯パターンとして設定し、
前記抽出部における前記予め設定された条件は、最も低い照度であり、
前記状態変更反映部は、前記抽出部により抽出された照明の状態を点灯へ変更し、この点灯状態を反映させる、
ことを特徴とする点灯パターン設定装置。
【請求項５】
請求項４に記載の点灯パターン設定装置において、
前記状態変更反映部は、前記仮点灯パターン設定部における仮の点灯パターンが、全ての照明が点灯している状態になるまで、変更する状態を反映し、
前記表示部は、最後の点灯パターンである全ての照明が点灯している状態から、目標とすべき照度である目標照度を満たす点灯パターンまでを、前記状態変更反映部により反映された順番とは逆に並べて表示する、
ことを特徴とする点灯パターン設定装置。
【請求項６】
請求項３または５に記載の点灯パターン設定装置において、
前記点灯パターン選択部は、前記仮点灯パターン設定部の各パターンにおける消費電力をそれぞれ算出し、
前記表示部は、点灯パターンである全ての照明が点灯している状態から、目標とすべき消費電力である目標消費電力を満たす点灯パターンまでを並べて表示する、
ことを特徴とする点灯パターン設定装置。
【請求項７】
請求項６に記載の点灯パターン設定装置において、
目標消費電力を満たす点灯パターンになるように照明を制御する、
ことを特徴とする点灯パターン設定装置。
【請求項８】
請求項１から７のいずれか１つに記載の点灯パターン設定装置において、
前記表示部は、各点灯パターンを前記部屋のレイアウトにそれぞれ対応させて表示する、
ことを特徴とする点灯パターン設定装置。
【請求項９】
請求項８に記載の点灯パターン設定装置において、
前記表示部は、部屋のレイアウトに最低照度とその領域を表示する、
ことを特徴とする点灯パターン設定装置。
【請求項１０】
請求項１から９のいずれか１つに記載の点灯パターン設定装置において、
前記部屋の情報は、部屋の大きさとその部屋における照明の配置とに関する情報を含み、
前記照明の情報は、照明の配光に関する情報を含む、
ことを特徴とする点灯パターン設定装置。
【請求項１１】
部屋と照明の情報を入力する入力ステップと、
前記入力ステップで入力された情報と、仮に設定された照明の点灯または消灯からなる点灯パターンとに基づく前記部屋の領域の照度が、予め設定された条件を満たす照度に対応するように、前記点灯パターンを選択する点灯パターン選択ステップと、
前記点灯パターン選択ステップで選択された点灯パターンを表示する表示ステップと、
を有することを特徴とする点灯パターン設定方法。
【請求項１２】
請求項１１に記載の点灯パターン設定方法において、
前記点灯パターン選択ステップは、
前記仮に設定された点灯パターンを設定する仮点灯パターン設定ステップと、
前記入力ステップからの情報と前記仮に設定された点灯パターンとに基づいて、前記部屋の各領域の照度を算出する照度算出ステップと、
前記照度算出ステップにより算出された各領域の照度の中から予め設定された条件を満たす照度と、この条件を満たす照度の領域に対応した照明とを抽出する抽出ステップと、
前記抽出ステップにより抽出された照明の状態を変更し、この変更した状態を前記仮点灯パターンに反映させる状態変更反映ステップと、
を有し、
前記仮点灯パターン設定ステップの各点灯パターンと前記照度算出ステップの各照度とをそれぞれ対応させて、前記点灯パターンを選択する、
ことを特徴とする点灯パターン設定方法。
【請求項１３】
請求項１２に記載の点灯パターン設定方法において、
前記仮点灯パターン設定ステップは、全ての照明が点灯している状態を初期の点灯パターンとして設定し、
前記抽出ステップにおける前記予め設定された条件は、最も高い照度であり、
前記状態変更反映ステップは、前記抽出ステップにより抽出された照明の状態を消灯へ変更し、この消灯状態を反映させ、前記仮点灯パターン設定ステップにおける仮の点灯パターンが、１つの照明のみが点灯している状態になるまで、変更する状態を反映し、
前記表示ステップは、前記初期の点灯パターンである全ての照明が点灯している状態から、目標とすべき照度である目標照度を満たす点灯パターンまでを、前記状態変更反映ステップにより反映された順番に並べて表示する、
ことを特徴とする点灯パターン設定方法。
【請求項１４】
請求項１２に記載の点灯パターン設定方法において、
前記仮点灯パターン設定ステップは、任意の１つの照明のみが点灯している状態を初期の点灯パターンとして設定し、
前記抽出ステップにおける前記予め設定された条件は、最も低い照度であり、
前記状態変更反映ステップは、前記抽出ステップにより抽出された照明の状態を点灯へ変更し、この点灯状態を反映させる、
ことを特徴とする点灯パターン設定方法。
【請求項１５】
請求項１４に記載の点灯パターン設定方法において、
前記状態変更反映ステップは、前記仮点灯パターン設定ステップにおける仮の点灯パターンが、全ての照明が点灯している状態になるまで、変更する状態を反映し、
前記表示ステップは、最後の点灯パターンである全ての照明が点灯している状態から、目標とすべき照度である目標照度を満たす点灯パターンまでを、前記状態変更反映ステップにより反映された順番とは逆に並べて表示する、
ことを特徴とする点灯パターン設定方法。
【手続補正２】
【補正対象書類名】明細書
【補正対象項目名】０００９
【補正方法】変更
【補正の内容】
【０００９】
本発明は、部屋と照明の情報を入力する入力部と、前記入力部に入力された情報と、仮に設定された照明の点灯または消灯からなる点灯パターンとに基づく前記部屋の領域の照度が、予め設定された条件を満たす照度に対応するように、前記点灯パターンを選択する点灯パターン選択部と、前記点灯パターン選択部で選択された前記点灯パターンを表示する表示部と、を備えたことを特徴とする。
【手続補正３】
【補正対象書類名】明細書
【補正対象項目名】００１０
【補正方法】変更
【補正の内容】
【００１０】
また、前記点灯パターン選択部は、前記仮に設定された点灯パターンを設定する仮点灯パターン設定部と、前記入力部からの情報と前記仮に設定された点灯パターンとに基づいて、前記部屋の各領域の照度を算出する照度算出部と、前記照度算出部により算出された各領域の照度の中から予め設定された条件を満たす照度と、この条件を満たす照度の領域に対応した照明とを抽出する抽出部と、前記抽出部により抽出された照明の状態を変更し、この変更した状態を前記仮点灯パターン設定部に反映させる状態変更反映部と、を有し、前記仮点灯パターン設定部の各点灯パターンと前記照度算出部の各領域の照度とをそれぞれ対応させて、前記点灯パターンを選択することができる。
【手続補正４】
【補正対象書類名】明細書
【補正対象項目名】００１１
【補正方法】変更
【補正の内容】
【００１１】
また、前記仮点灯パターン設定部は、全ての照明が点灯している状態を初期の点灯パターンとして設定し、前記抽出部における前記予め設定された条件は、最も高い照度であり、前記状態変更反映部は、前記抽出部により抽出された照明の状態を消灯へ変更し、この消灯状態を反映させ、前記仮点灯パターン設定部における仮の点灯パターンが、１つの照明のみが点灯している状態になるまで、変更する状態を反映し、前記表示部は、前記初期の点灯パターンである全ての照明が点灯している状態から、目標とすべき照度である目標照度を満たす点灯パターンまでを、前記状態変更反映部により反映された順番に並べて表示することができる。
【手続補正５】
【補正対象書類名】明細書
【補正対象項目名】００１２
【補正方法】変更
【補正の内容】
【００１２】
また、前記仮点灯パターン設定部は、任意の１つの照明のみが点灯している状態を初期の点灯パターンとして設定し、前記抽出部における前記予め設定された条件は、最も低い照度であり、前記状態変更反映部は、前記抽出部により抽出された照明の状態を点灯へ変更し、この点灯状態を反映させることができる。
【手続補正６】
【補正対象書類名】明細書
【補正対象項目名】００１３
【補正方法】変更
【補正の内容】
【００１３】
また、前記状態変更反映部は、前記仮点灯パターン設定部における仮の点灯パターンが、全ての照明が点灯している状態になるまで、変更する状態を反映し、前記表示部は、最後の点灯パターンである全ての照明が点灯している状態から、目標とすべき照度である目標照度を満たす点灯パターンまでを、前記状態変更反映部により反映された順番とは逆に並べて表示することができる。
【手続補正７】
【補正対象書類名】明細書
【補正対象項目名】００１４
【補正方法】変更
【補正の内容】
【００１４】
また、前記点灯パターン選択部は、前記仮点灯パターン設定部の各パターンにおける消費電力をそれぞれ算出し、前記表示部は、点灯パターンである全ての照明が点灯している状態から、目標とすべき消費電力である目標消費電力を満たす点灯パターンまでを並べて表示することができる。
【手続補正８】
【補正対象書類名】明細書
【補正対象項目名】００１６
【補正方法】変更
【補正の内容】
【００１６】
また、前記表示部は、各点灯パターンを前記部屋のレイアウトにそれぞれ対応させて表示することができる。
【手続補正９】
【補正対象書類名】明細書
【補正対象項目名】００１７
【補正方法】変更
【補正の内容】
【００１７】
また、前記表示部は、部屋のレイアウトに最低照度とその領域を表示することができる。
【手続補正１０】
【補正対象書類名】明細書
【補正対象項目名】００１９
【補正方法】変更
【補正の内容】
【００１９】
また、もう１つの発明は、部屋と照明の情報を入力する入力ステップと、前記入力ステップで入力された情報と、仮に設定された照明の点灯または消灯からなる点灯パターンとに基づく前記部屋の領域の照度が、予め設定された条件を満たす照度に対応するように、前記点灯パターンを選択する点灯パターン選択ステップと、前記点灯パターン選択ステップで選択された点灯パターンを表示する表示ステップと、を有することを特徴とする。
【手続補正１１】
【補正対象書類名】明細書
【補正対象項目名】００２０
【補正方法】変更
【補正の内容】
【００２０】
また、前記点灯パターン選択ステップは、前記仮に設定された点灯パターンを設定する仮点灯パターン設定ステップと、前記入力ステップからの情報と前記仮に設定された点灯パターンとに基づいて、前記部屋の各領域の照度を算出する照度算出ステップと、前記照度算出ステップにより算出された各領域の照度の中から予め設定された条件を満たす照度と、この条件を満たす照度の領域に対応した照明とを抽出する抽出ステップと、
前記抽出ステップにより抽出された照明の状態を変更し、この変更した状態を前記仮点灯パターンに反映させる状態変更反映ステップと、を有し、前記仮点灯パターン設定ステップの各点灯パターンと前記照度算出ステップの各照度とをそれぞれ対応させて、前記点灯パターンを選択することができる。
【手続補正１２】
【補正対象書類名】明細書
【補正対象項目名】００２１
【補正方法】変更
【補正の内容】
【００２１】
また、前記仮点灯パターン設定ステップは、全ての照明が点灯している状態を初期の点灯パターンとして設定し、前記抽出ステップにおける前記予め設定された条件は、最も高い照度であり、前記状態変更反映ステップは、前記抽出ステップにより抽出された照明の状態を消灯へ変更し、この消灯状態を反映させ、前記仮点灯パターン設定ステップにおける仮の点灯パターンが、１つの照明のみが点灯している状態になるまで、変更する状態を反映し、前記表示ステップは、前記初期の点灯パターンである全ての照明が点灯している状態から、目標とすべき照度である目標照度を満たす点灯パターンまでを、前記状態変更反映ステップにより反映された順番に並べて表示することができる。
【手続補正１３】
【補正対象書類名】明細書
【補正対象項目名】００２２
【補正方法】変更
【補正の内容】
【００２２】
また、前記仮点灯パターン設定ステップは、任意の１つの照明のみが点灯している状態を初期の点灯パターンとして設定し、前記抽出ステップにおける前記予め設定された条件は、最も低い照度であり、前記状態変更反映ステップは、前記抽出ステップにより抽出された照明の状態を点灯へ変更し、この点灯状態を反映させることができる。
【手続補正１４】
【補正対象書類名】明細書
【補正対象項目名】００２３
【補正方法】変更
【補正の内容】
【００２３】
また、前記状態変更反映ステップは、前記仮点灯パターン設定ステップにおける仮の点灯パターンが、全ての照明が点灯している状態になるまで、変更する状態を反映し、前記表示ステップは、最後の点灯パターンである全ての照明が点灯している状態から、目標とすべき照度である目標照度を満たす点灯パターンまでを、前記状態変更反映ステップにより反映された順番とは逆に並べて表示することができる。